(57)【要約】【課題】開閉部の開閉動作の操作性を向上させることができる開閉装置及び画像形成装置を提供する。【解決手段】画像形成装置１０は、画像形成装置本体１２と、画像形成装置本体１２に対し開閉可能に設けられたフロントカバー７０と、フロントカバー７０に対し開閉可能に設けられた手差しトレイ７２と、フロントカバー７０が開かれた状態で手差しトレイ７２をフロントカバー７０に固定する固定機構８０とを有する。【選択図】図３
2010145683.tif 000002
【特許請求の範囲】
【請求項１】
画像形成装置本体と、
前記画像形成装置本体内に設けられ、記憶媒体に画像を形成する画像形成手段と、
前記画像形成装置本体内に設けられ、前記画像形成手段により画像が形成される記憶媒体を搬送する搬送路と、
前記画像形成装置本体に対し開閉可能に設けられ、開かれた場合に前記搬送路を開放する第一の開閉部と、
前記第一の開閉部に対し開閉可能であって、前記第一の開閉部と開閉支点が同軸であるように設けられ、前記搬送路に供給する記録媒体を載置する記録媒体載置部を有する第二の開閉部と、
前記第一の開閉部が開かれた場合に、前記第二の開閉部を前記第一の開閉部に固定する固定手段と、
を有する画像形成装置。
【請求項２】
前記固定手段は前記第一の開閉部が閉められた場合に、前記第一の開閉部と前記第二の開閉部との固定を解除する、
請求項１記載の画像形成装置。
【請求項３】
画像形成装置本体と、
前記画像形成装置本体内に設けられ、記憶媒体に画像を形成する画像形成手段と、
前記画像形成装置本体内に設けられ、前記画像形成手段により画像が形成される記憶媒体を搬送する搬送路と、
前記画像形成装置本体に対し開閉可能に設けられ、開かれた場合に前記搬送路を開放する第一の開閉部と、
前記第一の開閉部に対し開閉可能であって、前記第一の開閉部と開閉支点が同軸であるように設けられ、前記搬送路に供給する記録媒体を載置する記録媒体載置部を有する第二の開閉部と、
前記第一の開閉部が開かれた場合に、前記第二の開閉部を前記第一の開閉部に固定する第一の固定手段と、
前記第二の開閉部が開かれた場合に、前記第一の開閉部を前記画像形成装置本体に固定する第二の固定手段と、
を有する画像形成装置。
【請求項４】
前記第二の固定手段は前記第二の開閉部が閉められた場合に、前記第一の開閉部と前記画像形成装置本体との固定を解除する、
請求項３記載の画像形成装置。
【請求項５】
前記第一の固定手段と前記第二の固定手段は一つの部材により構成されている、
請求項３又は４記載の画像形成装置。
【請求項６】
装置本体に対し開閉可能に設けられた第一の開閉部と、
前記第一の開閉部に対し開閉可能であって、前記第一の開閉部と開閉支点が同軸であるように設けられた第二の開閉部と、
前記第一の開閉部が開かれた場合に、前記第二の開閉部を前記第一の開閉部に固定する固定手段と、
を有する開閉装置。
【請求項７】
装置本体に対し開閉可能に設けられた第一の開閉部と、
前記第一の開閉部に対し開閉可能であって、前記第一の開閉部と開閉支点が同軸であるように設けられた第二の開閉部と、
前記第一の開閉部が開かれた場合に、前記第二の開閉部を前記第一の開閉部に固定する第一の固定手段と、
前記第二の開閉部が開かれた場合に、前記第一の開閉部を前記画像形成装置本体に固定する第二の固定手段と、
を有する開閉装置。
【発明の詳細な説明】
【技術分野】
【０００１】
本発明は画像形成装置及び開閉装置に関するものである。
【背景技術】
【０００２】
特許文献１は、本体に開閉自在に支持されたカバー、本体に開閉自在に支持され且つカバーより外側に配置されカバーと一体的に開閉可能なトレイ、トレイに設けられた弾性変形可能な爪、爪を係止するためにカバーに設けられた穴、を有し、トレイの開閉支点がカバーの開閉支点よりも内側に位置し、穴が、トレイとカバーを係止した状態で一体的に開閉した際に、開ける角度が大きくなるに従い狭くなり、カバーが完全に開いた状態では爪が抜けることのない大きさに形成されていることを特徴とする画像形成装置を開示する。
【０００３】
特許文献２は、手差しトレイがメンテナンス用開閉部から開放された開放位置にある場合には、メンテナンス用開閉部の開動作を不可能にし、手差しトレイがメンテナンス用開閉部に収納された収納位置にある場合には、メンテナンス用開閉部の開動作を可能にし、手差しトレイの位置に関わらず、メンテナンス用開閉部の閉動作は規制しない規制手段を備える画像形成装置を開示する。
【０００４】
【特許文献１】特開２００５−２８９５２３号公報
【特許文献２】特開２００６−２１５４３９号公報
【発明の開示】
【発明が解決しようとする課題】
【０００５】
本発明は、第一の開閉部を開いた場合に第二の開閉部が開くのを防止することができる画像形成装置及び開閉装置を提供することを目的とする。
【課題を解決するための手段】
【０００６】
請求項１に係る本発明は、画像形成装置本体と、前記画像形成装置本体内に設けられ、記憶媒体に画像を形成する画像形成手段と、前記画像形成装置本体内に設けられ、前記画像形成手段により画像が形成される記憶媒体を搬送する搬送路と、前記画像形成装置本体に対し開閉可能に設けられ、開かれた場合に前記搬送路を開放する第一の開閉部と、前記第一の開閉部に対し開閉可能であって、前記第一の開閉部と開閉支点が同軸であるように設けられ、前記搬送路に供給する記録媒体を載置する記録媒体載置部を有する第二の開閉部と、前記第一の開閉部が開かれた場合に、前記第二の開閉部を前記第一の開閉部に固定する固定手段と、を有する画像形成装置である。
【０００７】
請求項２に係る本発明は、前記固定手段は前記第一の開閉部が閉められた場合に、前記第一の開閉部と前記第二の開閉部との固定を解除する、請求項１記載の画像形成装置である。
【０００８】
請求項３に係る本発明は、画像形成装置本体と、前記画像形成装置本体内に設けられ、記憶媒体に画像を形成する画像形成手段と、前記画像形成装置本体内に設けられ、前記画像形成手段により画像が形成される記憶媒体を搬送する搬送路と、前記画像形成装置本体に対し開閉可能に設けられ、開かれた場合に前記搬送路を開放する第一の開閉部と、前記第一の開閉部に対し開閉可能であって、前記第一の開閉部と開閉支点が同軸であるように設けられ、前記搬送路に供給する記録媒体を載置する記録媒体載置部を有する第二の開閉部と、前記第一の開閉部が開かれた場合に、前記第二の開閉部を前記第一の開閉部に固定する第一の固定手段と、前記第二の開閉部が開かれた場合に、前記第一の開閉部を前記画像形成装置本体に固定する第二の固定手段とを有し、前記第一の固定手段と前記第二の固定手段は一つの部材により構成されている、画像形成装置である。
【０００９】
請求項４に係る本発明は、前記第二の固定手段は前記第二の開閉部が閉められた場合に、前記第一の開閉部と前記画像形成装置本体との固定を解除する、請求項３記載の画像形成装置である。
【００１０】
請求項５に係る本発明は、前記第一の固定手段と前記第二の固定手段は一つの部材により構成されている、請求項３又は４記載の画像形成装置である。
【００１１】
請求項６に係る本発明は、装置本体に対し開閉可能に設けられた第一の開閉部と、前記第一の開閉部に対し開閉可能であって、前記第一の開閉部と開閉支点が同軸であるように設けられた第二の開閉部と、前記第一の開閉部が開かれた場合に、前記第二の開閉部を前記第一の開閉部に固定する固定手段と、を有する開閉装置である。
【００１２】
請求項７に係る本発明は、装置本体に対し開閉可能に設けられた第一の開閉部と、前記第一の開閉部に対し開閉可能であって、前記第一の開閉部と開閉支点が同軸であるように設けられた第二の開閉部と、前記第一の開閉部が開かれた場合に、前記第二の開閉部を前記第一の開閉部に固定する第一の固定手段と、前記第二の開閉部が開かれた場合に、前記第一の開閉部を前記画像形成装置本体に固定する第二の固定手段と、を有する開閉装置である。
【発明の効果】
【００１３】
請求項１に係る発明によれば、第一の開閉部を開いた場合に第二の開閉部が開くのを防止することができる画像形成装置を提供することができる。
【００１４】
請求項２に係る発明によれば、請求項１に係る本発明の効果に加えて、第一の開閉部が閉められた場合には、第二の開閉部を開くことができる画像形成装置を提供することができる。
【００１５】
請求項３に係る発明によれば、第一の開閉部を開いた場合に第二の開閉部が開くのを防止することができ、かつ、第二の開閉部を開いた場合に第一の開閉部が開くのを防止することができる画像形成装置を提供することができる。
【００１６】
請求項４に係る発明によれば、請求項３に係る本発明の効果に加えて、第二の開閉部が閉められた場合には、第一の開閉部を開くことができる画像形成装置を提供することができる。
【００１７】
請求項５に係る発明によれば、請求項３又は４に係る本発明の効果に加えて、複数の部材で固定手段が構成されている場合に比べて、構成が簡易な画像形成装置を提供することができる。
【００１８】
請求項６に係る発明によれば、第一の開閉部を開いた場合に第二の開閉部が開くのを防止することができる開閉装置を提供することができる。
【００１９】
請求項７に係る発明によれば、第一の開閉部を開いた場合に第二の開閉部が開くのを防止することができ、かつ、第二の開閉部を開いた場合に第一の開閉部が開くのを防止することができる開閉装置を提供することができる。
【発明を実施するための最良の形態】
【００２０】
[第一実施形態]
次に、本発明の実施形態について図面に基づいて説明する。
図１乃至図３は本発明の一実施形態としての画像形成装置１０の全体構成を示す。画像形成装置１０は、画像形成装置本体１２を有し、この画像形成装置本体１２の下部には、給紙装置１４が配置され、この画像形成装置本体１２の上部には排紙部１６が形成されている。
【００２１】
給紙装置１４は、記憶媒体が収納される給紙カセット１８を有する。給紙カセット１８の一端上部には、フィードロール２０が配置されているとともに、このフィードロール２０に対向して捌きロール２２が設けられている。給紙カセット１８の最上位にある記憶媒体がフィードロール２０によりピックアップされ、このフィードロール２０と捌きロール２２との協働により記憶媒体が捌かれて搬送される。
【００２２】
給紙カセット１８から搬送された記憶媒体は、レジストロール２４により一時停止され、所定のタイミングにより、後述する感光体ユニット２６と転写ユニット２８との間及び定着装置３０を通過し、排紙ロール３２によって排紙部１６に排出される。
【００２３】
画像形成装置本体１２内には、感光体ユニット２６転写ユニット２８、電源ユニット３４及び制御部３６が配置されている。感光体ユニット２６は、感光体ユニット本体３８を有し、画像形成装置本体１２内に装着された装着物として用いられ、この画像形成装置本体１２内に着脱可能に装着される。感光体ユニット本体３８には、例えば４つのサブユニット５０が設けられている。各サブユニット５０は、それぞれ感光体４０を有し、この感光体４０の周囲には、この感光体４０を一様に帯電する帯電ロールを備えた帯電手段として用いられる帯電装置４２と、感光体４０に書き込まれた潜像を現像剤（トナー）で現像する現像手段として用いられる現像装置４４と、転写後の感光体４０に光を照射して、感光体４０を除電する除電手段として用いられる除電装置４６と、転写がなされた後に感光体４０に残留する現像剤を除去する現像剤除去手段としてのクリーニング装置４８とが、それぞれ設けられている。なお、サブユニット５０内の同一の符号の表記は省略する。
【００２４】
４つのサブユニット５０は、重力方向下方である記憶媒体搬送方向上流から、イエロートナー像形成用、マゼンダトナー像形成用、シアントナー像形成用、ブラックトナー像形成用であって、各感光体４０の表面に、イエロートナー像、マゼンダトナー像、シアントナー像、ブラックトナー像を、それぞれ形成する。４つのサブユニット５０は、それぞれ感光体ユニット本体３８内に着脱可能となっている。
【００２５】
光書き込み装置５６は、それぞれレーザ露光装置からなり、感光体ユニット２６の背面側にあって、各感光体４０に対応した位置に配置され、一様に帯電された感光体４０に対してレーザを照射して潜像を形成する。
【００２６】
転写ユニット２８は、転写ユニット本体５８を有し、構造体として用いられ、感光体ユニット２６の前側にあって、感光体ユニット２６に対向して縦方向に配置される。転写ユニット本体５８内には、上下方向に二つの支持ロール６０が装着され、この二つの支持ロール６０に搬送ベルト６２が掛けられている。また、転写ユニット本体５８内に、搬送ベルト６２を挟んで、各感光体４０に対向するように転写ロール６４が装着されている。
【００２７】
搬送ベルト６２は記憶媒体の搬送に用いられる部品であり、記憶媒体の搬送機能を実現するための部品である。また、転写ロール６４は、画像形成機能の一部である転写に用いられる部品である。
【００２８】
以上のように構成された画像形成装置１０では、感光体４０が帯電装置４２により一様に帯電され、光書き込み装置５６により潜像が形成され、潜像が現像装置４４により現像されて現像剤象（トナー像）が形成される。感光体４０に形成された現像剤象は、下方から順番に、搬送ベルト６２によって搬送される記憶媒体に、転写ユニット２８の転写ロール６４を用いて転写され、定着装置３０により記憶媒体に定着される。
【００２９】
画像形成装置本体１２の前側（図１における左側）には、第１の開閉部として用いられるフロントカバー７０及び第２の開閉部として用いられる手差しトレイ７２が設けられている。フロントカバー７０及び手差しトレイ７２は、支持部として用いられる開閉軸７４により、画像形成装置本体１２に対して回転可能に設けられ、この開閉軸７４を中心に回転して、画像形成装置本体１２の前側に開くようになっている。手差しトレイ７２は図示しないラッチによりフロントカバー７０に保持されている。フロントカバー７０及び手差しトレイ７２が閉じられている状態から、手差しトレイ７２を開く作業は、図示しないラッチを操作者が解除することにより行われる。搬送ローラ７６は、手差しトレイ７２から供給された記憶媒体をレジストローラ２４へ搬送する。
【００３０】
フロントカバー７０は固定機構８０を有する。この固定機構８０は画像形成装置本体１２の一部をなす本体フレーム１２ａ及び手差しトレイ７２の爪受け７３と連動し、フロントカバー７０が開かれると、手差しトレイ７２をフロントカバー７０に固定するように構成されている。
【００３１】
図２は、手差しトレイ７２が開かれている状態を示す。この位置にある手差しトレイ７２上に置かれた記憶媒体は、搬送ローラ７６によってレジストロール２４に搬送され、前述したように感光体ユニット２６と転写ユニット２８との間及び定着装置３０を通過し、排紙ロール３２によって排紙部１６に排出される。
【００３２】
図３は、フロントカバー７０が開かれている状態を示す。フロントカバー７０は手差しトレイ７２と一体的に開かれ、このフロントカバー７０が開かれている状態では、手差しトレイ７２は固定機構８０によってフロントカバー７０に固定される。
フロントカバー７０が開かれると、画像形成装置本体１２内のジャム箇所や消耗品交換箇所が露出する。メンテナンス作業は、フロントカバー７０が開かれた状態で行われる。
【００３３】
次に、固定機構８０について説明する。
図４乃至図６は固定機構８０及びその周辺構成を示す。なお、固定機構８０が設けられているフロントカバー７０の図示は省略する。
固定機構８０は、固定部材本体８２、この固定部材本体８２の下方を付勢する第一付勢部材８４、及び本体フレーム１２ａに押し付けられることで固定部材本体８２の上方を付勢する第二付勢部材８６を有する。第一付勢部材８４及び第二付勢部材８６は、例えば、ばねから構成されている。固定部材本体８２は、爪部８８、手差しトレイ接触部９０及びラッチ接触部９２を備え、軸９４を中心に回転可能に設けられている。第二付勢部材８６は、第一付勢部材８４よりも付勢する力が強力であるように構成されている。
また、フロントカバー７０には、後述するラッチ機構１００が配置されており、このラッチ機構１００は、操作者の操作によって手差しトレイ７２が開かれると、固定機構８０と連動し、フロントカバー７０を画像形成装置本体１２に固定するように構成されている。
【００３４】
図４は、フロントカバー７０及び手差しトレイ７２が閉じられている状態を示す。手差しトレイ接触部９０は手差しトレイ７２に押し付けられており、第一付勢部材８４及び第二付勢部材８６の付勢に抗し、固定部材本体８２は回転しない。
この状態では、爪部８８は爪受け７３から離れた位置に配置されており、固定機構８０による手差しトレイ７２の固定（第一固定部）は解除されている。このため、操作者が操作することで手差しトレイ７２は開く方向に回転する。
また、ラッチ接触部９２はラッチ機構１００から離れた位置にあり、ラッチ機構１００によるフロントカバー７０の画像形成装置本体１２への固定（第二固定部）は解除されている。このため、操作者が操作することでフロントカバー７０は開く方向に回転する。
【００３５】
図５は、フロントカバー７０が開かれた場合であり、第一固定部によって手差しトレイ７２がフロントカバー７０に固定されている状態を示す。フロントカバー７０が開かれると、第二付勢部材８６が本体フレーム１２ａから離れる。第二付勢部材８６が本体フレーム１２ａに押し付けられなくなると、この第二付勢部材８６は固定部材本体８２を付勢しない。このため、固定部材本体８２はフロントカバー７０に設けられた第一付勢部材８４の付勢方向（時計方向）に回転し、爪部８８が爪受け７３に引っ掛かる。この状態では、固定機構８０によって手差しトレイ７２は固定されており、手差しトレイ７２はフロントカバー７０から外れず、フロントカバー７０は手差しトレイ７２と一体的に開かれる。
【００３６】
図６は、フロントカバー７０は閉じられていて、手差しトレイ７２が開かれている場合であり、第二固定部によってフロントカバー７０が画像形成装置本体１２に固定されている状態を示す。手差しトレイ７２が開かれると、この手差しトレイ７２は手差しトレイ接触部９０から離れる。第二付勢部材８６は、第一付勢部材８４よりも付勢する力が強力であるように構成されているため、固定部材本体８２は第二付勢部材８６の付勢によって反時計方向に回転し、ラッチ接触部９２がラッチ機構１００に接触する。このため、ラッチ機構１００によりフロントカバー７０は画像形成装置本体１２に固定される。この状態では、フロントカバー７０は開く方向に回転しない。
【００３７】
次に、ラッチ機構１００について説明する。
図７及び図８は、ラッチ機構１００の画像形成装置本体１２に対し垂直方向の断面図を示す。また図９は、ラッチ機構１００の画像形成装置本体１２に対し水平方向の断面図を示す。
ラッチ機構１００は、ラッチ部材本体１０２を有する。このラッチ部材本体１０２は、操作部１０４、突起受け１０６及び固定穴１０８を備え、フロントカバー７０に設けられた溝１１０に沿って移動可能に設置されている。本体付勢部材１１２は一端を画像形成装置本体１２に固定してあり、他端がラッチ部材本体１０２に固定してある。本体付勢部材１１２は、例えば、ばねから構成されている。このため、ラッチ部材本体１０２は本体付勢部材１１２によって、画像形成装置本体１２側面側（図６における左側）に付勢されている。また、画像形成装置本体１２には突起受け１０６に引っ掛かる突起１１４が設けられている。
【００３８】
ラッチ機構１００の動作について説明する。
フロントカバー７０及び手差しトレイ７２が閉じられている状態から（図７及び図９（ａ）参照）、手差しトレイ７２を開く場合、操作者は操作部１０４を画像形成装置本体１２内方向へ押す。操作部１０４を押されると、ラッチ部材本体１０２は画像形成装置本体１２内方向へ移動し、突起受け１０６が突起１１４に引っ掛かる位置に配置される（図８及び図９（ｂ）参照）。手差しトレイ７２が開かれると、上述したように固定機構８０が動作しラッチ接触部９２が固定穴１０８に嵌まる。このため、ラッチ部材本体１０２は本体付勢部材１１２の付勢に抗し、突起受け１０６が突起１１４に引っ掛かる位置に保持される。このようにしてフロントカバー７０は、画像形成装置本体１２に固定される。なお、操作部１０４を押す操作が、手差しトレイ７２をフロントカバー７０に保持する図示しないラッチの解除と連動するように構成することもできる。
【００３９】
[第二実施形態]
図１０及び図１１は第二実施形態に用いられる固定機構８０を示す。ここでは、第一固定部について説明しているが、第二実施形態と上述した第二固定部の構成を組み合わせることもできる。
この実施形態では、固定機構８０は弾性変形可能な材料によって構成されている。また、固定機構８０は、固定部材本体８２を有し、この固定部材本体は爪部８８及び本体フレーム接触部９６を備える。
【００４０】
図１０に示すように、フロントカバー７０が閉じられている状態では、本体フレーム接触部９６が本体フレーム１２ａに押し付けられる。このため、固定部材本体８２が弾性変形し爪部８８は爪受け７３から離れる方向に移動する。この状態では、爪部８８と爪受け７３の引っ掛かっている部分が少なくなり、手差しトレイ７２はフロントカバー７０に固定されておらず、操作者が操作することで手差しトレイ７２は開く方向に回転する。
【００４１】
図１１に示すように、フロントカバー７０が開かれると、本体フレーム接触部９６が本体フレーム１２ａから離れる。このため、固定機構８０が弾性復帰し爪部８８は爪受け７３の方向へ移動する。爪部８８と爪受け７３の引っ掛かっている部分が多く、手差しトレイ７２はフロントカバー７０に固定される。この状態では、手差しトレイ７２はフロントカバー７０から外れない。フロントカバー７０を開く場合は、手差しトレイ７２と一体的に開かれる。
【００４２】
[第三実施形態]
図１２及び図１３は、第三実施形態に用いられる固定機構８０を示す。この実施形態では、固定機構８０は、固定部材本体８２及び第一付勢部材８６を有する。固定部材本体８２は爪部８８及び本体フレーム接触部９６を備え、軸９４を中心に回転可能に設けられている。
【００４３】
図１２に示すように、フロントカバー７０が閉じられている状態では、本体フレーム接触部９６が本体フレーム１２ａに押し付けられる。このため、固定部材本体８２は第一付勢部材８４の付勢に抗する方向へ回転し、爪部８８は爪受け７３から離れた位置に配置される。この状態では、固定機構８０による手差しトレイ７２の固定は解除されており、操作者が操作することで手差しトレイ７２は開く方向に回転する。
【００４４】
図１３に示すように、フロントカバー７０が開かれると、本体フレーム接触部９６が本体フレーム１２ａから離れる。このため、固定部材本体８２は第一付勢部材８４の付勢方向に回転し、爪部８８は爪受け７３に引っ掛かる。この状態では、固定機構８０によって手差しトレイ７２は固定されており、手差しトレイ７２はフロントカバー７０から外れない。フロントカバー７０を開く場合は、手差しトレイ７２と一体的に開かれる。
【００４５】
なお、固定機構８０の設置箇所は上記実施形態に限られるものではなく、左右両側等、複数個設ける構成とすることもできる。
【図面の簡単な説明】
【００４６】
【図１】本発明の一実施形態が適用される画像形成装置を示す側面図である。
【図２】本発明の一実施形態が適用される画像形成装置であって、手差しトレイ７２が開かれている状態を示す側面図である。
【図３】本発明の一実施形態が適用される画像形成装置であって、フロントカバー７０が開かれている状態を示す側面図である。
【図４】本発明の第一実施形態に用いられる固定機構８０を説明する第１の説明図である。
【図５】本発明の第一実施形態に用いられる固定機構８０を説明する第２の説明図である。
【図６】本発明の第一実施形態に用いられる固定機構８０を説明する第３の説明図である。
【図７】本発明の第一実施形態に用いられるラッチ機構１００を説明する第１の断面図である。
【図８】本発明の第一実施形態に用いられるラッチ機構１００を説明する第２の断面図である。
【図９】本発明の第一実施形態に用いられるラッチ機構１００を説明する第３の断面図である。
【図１０】本発明の第二実施形態に用いられる固定機構８０を説明する第１の説明図である。
【図１１】本発明の第二実施形態に用いられる固定機構８０を説明する第２の説明図である。
【図１２】本発明の第三実施形態に用いられる固定機構８０を説明する第１の説明図である。
【図１３】本発明の第三実施形態に用いられる固定機構８０を説明する第２の説明図である。
【符号の説明】
【００４７】
１０      画像形成装置
１２      画像形成装置本体
１２ａ  本体フレーム
１４      給紙装置
２６      感光体ユニット
２８      転写ユニット
３０      定着装置
７０      フロントカバー
７２      手差しトレイ
７３    爪受け
７４      開閉軸
８０      固定機構
８８      爪部
１００  ラッチ機構
１０４  操作部
【図１】
2010145683.tif 000003
【図２】
2010145683.tif 000004
【図３】
2010145683.tif 000005
【図４】
2010145683.tif 000006
【図５】
2010145683.tif 000007
【図６】
2010145683.tif 000008
【図７】
2010145683.tif 000009
【図８】
2010145683.tif 000010
【図９】
2010145683.tif 000011
【図１０】
2010145683.tif 000012
【図１１】
2010145683.tif 000013
【図１２】
2010145683.tif 000014
【図１３】
2010145683.tif 000015